(57)【特許請求の範囲】
【請求項１】
複数枚の原稿を連続して搬送する自動原稿搬送装置により搬送された原稿を読み取る原稿読取手段と、
前記原稿読取手段で原稿の読取を行う前に、複数枚の原稿からなる原稿のセットの最初の一部に対応するプレビュー画像の表示を有効又は無効にする選択を行う選択手段と、
前記原稿読取手段の読取出力に基づき前記原稿に対応する実画像データを作成する実画像データ作成手段と、
前記原稿読取手段の読取出力に基づき前記原稿に対応するプレビュー画像データを作成するプレビュー画像データ作成手段と、
複数枚の原稿からなる原稿のセットの一部を読み取るときに、該読み取った原稿の一部に対応する前記プレビュー画像データと前記実画像データとを作成するとともに、前記プレビュー画像データ作成手段により作成されたプレビュー画像データに基づく前記プレビュー画像と、複数枚の原稿からなる原稿のセットの次の一部を読み取る場合に該次の一部に対応するプレビュー画像の表示を有効又は無効にする選択項目とを表示するプレビュー表示手段と、
前記選択手段でプレビュー画像の表示を有効にすると選択された場合には、複数枚の原稿からなる原稿のセットの最初の一部に対応するプレビュー画像と前記選択項目とを前記プレビュー表示手段で表示するよう制御する第１の制御手段と、
前記プレビュー表示手段で表示された前記選択項目によって無効が選択された場合には、前記読み取られた一部の原稿以降に読み取られる前記原稿のセットに含まれる原稿に対しては、前記プレビュー画像データ作成手段によるプレビュー画像データの作成を行わずに前記実画像データ作成手段により実画像データを作成するように制御する第２の制御手段と
を具備する画像読取装置。
【請求項２】
前記プレビュー表示手段により表示した前記プレビュー画像に対して編集を指示する編集指示手段と、
前記編集指示手段による編集の指示に基づき前記実画像データ作成手段で作成した前記実画像データを編集する編集手段と、
前記編集手段で編集した実画像データを出力する画像データ出力手段と
を具備する請求項１記載の画像読取装置。
【請求項３】
前記原稿読取手段による複数枚の原稿の読取の途中で、前記編集指示手段による編集の指示が行われ、かつ、前記選択項目によって無効が選択された場合には、以後の原稿に対して前記プレビュー画像データ作成手段による前記プレビュー画像データの作成を行わずに前記原稿の読み取りを継続するとともに、以後の原稿に対して前記編集指示手段による編集の指示に基づく編集を行う
請求項２記載の画像読取装置。
【請求項４】
前記プレビュー画像データ作成手段は、
前記原稿読取手段の読取出力に基づき回転角度が異なる複数のプレビュー画像データを作成し、
前記編集指示手段は、
前記プレビュー画像に対して所定角度の回転を指示し、
前記プレビュー表示手段は、
前記編集指示手段で指示した所定の回転角度に対応するプレビュー画像データを前記複数のプレビュー画像データの中から選択して前記プレビュー画像を表示する
請求項２または３記載の画像読取装置。
【請求項５】
前記原稿読取手段による複数枚の原稿の読取の途中で前記選択項目によって有効が選択された場合には、以後の原稿に対して前記プレビュー画像データ作成手段による前記プレビュー画像データの作成を行う
請求項１乃至４のいずれかに記載の画像読取装置。
【請求項６】
前記選択項目によって無効が選択された後に、再度プレビュー画像を表示させる選択を行うプレビュー画像再表示選択手段
を更に具備し、
前記プレビュー画像再表示選択手段による再度プレビュー画像を表示させる選択が行われた場合には、以後に読み取られる前記原稿のセットに含まれる原稿に対して、該原稿に対応する前記プレビュー画像データと前記実画像データとを作成するとともに、前記プレビュー画像データ作成手段により作成されたプレビュー画像データに基づく前記プレビュー画像を前記プレビュー表示手段により表示する
請求項１記載の画像読取装置。
【請求項７】
複数枚の原稿を連続して搬送する自動原稿搬送装置により搬送された複数枚の原稿からなる原稿のセットの一部を読み取り、
複数枚の原稿からなる原稿のセットの一部を読み取るときに、該読み取った一部の原稿の読取出力に基づき該読み取った一部の原稿に対応する実画像データおよびプレビュー画像データを作成し、
作成した前記プレビュー画像データに基づくプレビュー画像と、複数枚の原稿からなる原稿のセットの次の一部を読み取る場合に該次の一部に対応するプレビュー画像の表示を有効又は無効にする選択項目とをプレビュー表示手段により表示し、
前記プレビュー表示手段で表示された前記選択項目によって無効が選択された場合には、前記読み取られた一部の原稿以降に読み取られる前記原稿のセットに含まれる原稿に対しては、当該原稿に対応するプレビュー画像データを作成せずに当該原稿の読取出力に基づき当該原稿に対応する実画像データを作成する
画像読取装置の制御方法。
【請求項８】
前記プレビュー表示手段により表示した前記プレビュー画像に対して編集指示手段により編集を指示し、
前記編集指示手段による編集の指示に基づき前記実画像データを編集手段により編集し、
前記編集手段で編集した実画像データを出力する
請求項７記載の画像読取装置の制御方法。
【請求項９】
複数の原稿の読取の途中で、前記編集指示手段による編集の指示が行われ、かつ、前記選択項目によって無効が選択がされた場合には、以後の原稿に対して前記プレビュー画像データの作成を行わずに前記原稿の読取を継続するとともに、以後の原稿に対して前記編集指示手段による編集の指示に基づく編集を行う
請求項８記載の画像読取装置の制御方法。
【発明の詳細な説明】
【技術分野】
【０００１】
本発明は、自動原稿搬送装置を搭載し、原稿の連続読み取りを行う画像読取装置および制御方法に関し、特に、自動原稿搬送装置を用いた原稿の読み取りに際し、プレビュー表示を実現するとともに該プレビュー表示内容に基づく画像データを効率的に形成できるようにした画像読取装置および制御方法に関する。
【背景技術】
【０００２】
一般に、スキャナに代表される画像読取装置では、画像読取の対象となる原稿をプラテン上に配置し、読み取り開始ボタンを押下することで読み取りヘッドが移動して原稿の読み取りが行われる。また、複数の原稿を連続的に読み取る場合には、原稿を順次、搬送することで連続的に読み取るＡＤＦを搭載することで実現している。
【０００３】
このような原稿の読み取りに際し、アプリケーションからスキャナを制御することで読み取り開始を行うことができるＴＷＡＩＮ（Technology Without Any Interested Name）機能があり、このＴＷＡＩＮ機能に対応したドライバを備えることによって、スキャナに接続されたホストコンピュータ、例えば、ＰＣから原稿の読み取り開始を指示できる。
【０００４】
このＴＷＡＩＮ機能に対応したスキャナでは、読み取った原稿をそのホストコンピュータ上にプレビュー表示することができるプレビュー表示機能も同様に備えられており、ホストコンピュータ上にプレビュー表示することで読み取った原稿の状態をユーザが確認することができ、所望する画像データを形成できる。
【０００５】
このプレビュー表示に際して、原稿を読み取ることで形成した画像データを所望するアプリケーションに転送できるようにした従来技術として、特許文献１に開示されたものがある。
【０００６】
この特許文献１に開示された従来技術においては、文書のプレビュー・スキャン内の選択した領域をクリックし、それをオープン・アプリケーションまたはデスクトップにドラッグして、選択された領域の最適化最終スキャンを開始している。これは、最適化最終スキャン前にプレビュー表示用にプレビュー画像を表示させることで実現している。
【０００７】
また、１回の読取動作でプレスキャンデータを取得して画像処理方法を指定可能とするとともに、指定された画像処理方法を用いてそのプレスキャンデータに対して最終的に必要な画像処理を反映した画像データを得られるようにした従来技術として、特許文献２に開示されたものがある。
【０００８】
この特許文献２に開示された従来技術では、原稿を読み取る読取装置がその原稿を所定の位置で読み取るほか、他の異なる位置で原稿の読み取りを行って、異なる位置で読み取った原稿の画像データに対して所定の間引き処理後、プレスキャンデータを生成して記憶する。そして、そのプレスキャンデータに対して画像処理が指定されるとその記憶されたプレスキャンデータに対して画像処理が行われて、そのプレスキャンデータに対する画像処理を反映した画像データが作成している。
【特許文献１】特開２０００−１１３１８０
【特許文献２】特開２００２−２４７３０５
【発明の開示】
【発明が解決しようとする課題】
【０００９】
しかしながら、特許文献１に示された従来技術においては、オープン・アプリケーションまたはデスクトップ上にドラッグするためのプレビュー画像データを作成し、最適化された最終スキャンを行っているが、これは、プレビュー表示用にプレビュー画像を作成後、最終スキャンすることで新たに画像データを作成しており、プレビュー表示の内容を確認した後に実画像データを作成するまでに多くの時間を要することとなり、作業効率が低下するという問題がある。
【００１０】
また、特許文献２に示された従来技術においては、原稿を読み取る読取装置がその原稿を所定の位置で読み取るほか、他の異なる位置で原稿の読み取りを行うことから２回の読み取り処理が必要となり、読み取り処理は通常の画像処理に比べて格段に多くの処理時間を要するため処理全体の作業効率が低下するという問題がある。また、プレスキャンデータに対して行われた画像処理を反映するために画像データを記憶しておく記憶領域とその画像処理を行う作業領域が必要となる。
【００１１】
そこで、本発明は、プレビュー表示された画像データに対して施した画像処理を有効とした実画像データを効率的に作成できるようにした画像形成装置および方法およびプログラムを提供することを目的とする。
【課題を解決するための手段】
【００１２】
上記目的を達成するため、請求項１の発明の画像読取装置は、複数枚の原稿を連続して搬送する自動原稿搬送装置により搬送された原稿を読み取る原稿読取手段と、前記原稿読取手段で原稿の読取を行う前に、複数枚の原稿からなる原稿のセットの最初の一部に対応するプレビュー画像の表示を有効又は無効にする選択を行う選択手段と、前記原稿読取手段の読取出力に基づき前記原稿に対応する実画像データを作成する実画像データ作成手段と、前記原稿読取手段の読取出力に基づき前記原稿に対応するプレビュー画像データを作成するプレビュー画像データ作成手段と、複数枚の原稿からなる原稿のセットの一部を読み取るときに、該読み取った原稿の一部に対応する前記プレビュー画像データと前記実画像データとを作成するとともに、前記プレビュー画像データ作成手段により作成されたプレビュー画像データに基づく前記プレビュー画像と、複数枚の原稿からなる原稿のセットの次の一部を読み取る場合に該次の一部に対応するプレビュー画像の表示を有効又は無効にする選択項目とを表示するプレビュー表示手段と、前記選択手段でプレビュー画像の表示を有効にすると選択された場合には、複数枚の原稿からなる原稿のセットの最初の一部に対応するプレビュー画像と前記選択項目とを前記プレビュー表示手段で表示するよう制御する第１の制御手段と、前記プレビュー表示手段で表示された前記選択項目によって無効が選択された場合には、前記読み取られた一部の原稿以降に読み取られる前記原稿のセットに含まれる原稿に対しては、前記プレビュー画像データ作成手段によるプレビュー画像データの作成を行わずに前記実画像データ作成手段により実画像データを作成するように制御する第２の制御手段とを具備するように構成される。
【００１３】
また、請求項２の発明は、請求項１の発明において、前記プレビュー表示手段により表示した前記プレビュー画像に対して編集を指示する編集指示手段と、前記編集指示手段による編集の指示に基づき前記実画像データ作成手段で作成した前記実画像データを編集する編集手段と、前記編集手段で編集した実画像データを出力する画像データ出力手段とを具備するように構成される。
【００１４】
また、請求項３の発明は、請求項２の発明において、前記原稿読取手段による複数枚の原稿の読取の途中で、前記編集指示手段による編集の指示が行われ、かつ、前記選択項目によって無効が選択された場合には、以後の原稿に対して前記プレビュー画像データ作成手段による前記プレビュー画像データの作成を行わずに前記原稿の読み取りを継続するとともに、以後の原稿に対して前記編集指示手段による編集の指示に基づく編集を行うように構成される。
【００１５】
また、請求項４の発明は、請求項２または３の発明において、前記プレビュー画像データ作成手段は、前記原稿読取手段の読取出力に基づき回転角度が異なる複数のプレビュー画像データを作成し、前記編集指示手段は、前記プレビュー画像に対して所定角度の回転を指示し、前記プレビュー表示手段は、前記編集指示手段で指示した所定の回転角度に対応するプレビュー画像データを前記複数のプレビュー画像データの中から選択して前記プレビュー画像を表示するように構成される。
【００１６】
また、請求項５の発明は、請求項１から４のいずれかの発明において、前記原稿読取手段による複数枚の原稿の読取の途中で前記選択項目によって有効が選択された場合には、以後の原稿に対して前記プレビュー画像データ作成手段による前記プレビュー画像データの作成を行うように構成される。
【００１７】
また、請求項６の発明は、請求項１の発明において、前記選択項目によって無効が選択された後に、再度プレビュー画像を表示させる選択を行うプレビュー画像再表示選択手段を更に具備し、前記プレビュー画像再表示選択手段による再度プレビュー画像を表示させる選択が行われた場合には、以後に読み取られる前記原稿のセットに含まれる原稿に対して、該原稿に対応する前記プレビュー画像データと前記実画像データとを作成するとともに、前記プレビュー画像データ作成手段により作成されたプレビュー画像データに基づく前記プレビュー画像を前記プレビュー表示手段により表示するように構成される。
【００１８】
また、請求項７の発明の画像読取装置の制御方法は、複数枚の原稿を連続して搬送する自動原稿搬送装置により搬送された複数枚の原稿からなる原稿のセットの一部を読み取り、複数枚の原稿からなる原稿のセットの一部を読み取るときに、該読み取った一部の原稿の読取出力に基づき該読み取った一部の原稿に対応する実画像データおよびプレビュー画像データを作成し、作成した前記プレビュー画像データに基づくプレビュー画像と、複数枚の原稿からなる原稿のセットの次の一部を読み取る場合に該次の一部に対応するプレビュー画像の表示を有効又は無効にする選択項目とをプレビュー表示手段により表示し、前記プレビュー表示手段で表示された前記選択項目によって無効が選択された場合には、前記読み取られた一部の原稿以降に読み取られる前記原稿のセットに含まれる原稿に対しては、当該原稿に対応するプレビュー画像データを作成せずに当該原稿の読取出力に基づき当該原稿に対応する実画像データを作成するように構成される。
【００１９】
また、請求項８の発明は、請求項７の発明において、前記プレビュー表示手段により表示した前記プレビュー画像に対して編集指示手段により編集を指示し、前記編集指示手段による編集の指示に基づき前記実画像データを編集手段により編集し、前記編集手段で編集した実画像データを出力するように構成される。
【００２０】
また、請求項９の発明は、請求項８の発明において、複数の原稿の読取の途中で、前記編集指示手段による編集の指示が行われ、かつ、前記選択項目によって無効が選択がされた場合には、以後の原稿に対して前記プレビュー画像データの作成を行わずに前記原稿の読取を継続するとともに、以後の原稿に対して前記編集指示手段による編集の指示に基づく編集を行うように構成される。
【発明の効果】
【００２２】
本発明によれば、自動原稿搬送装置を搭載した画像読取装置でユーザによるプレビュー表示の有無を選択可能とし、プレビュー表示を有効とした場合に実画像データとともにプレビュー画像データを同時に作成するようにし、プレビュー表示されたプレビュー画像データに対する画像処理を受け付け、その画像処理内容を反映した実画像データを作成するようにしたので、所望する実画像データを効率的に作成できるという効果を奏する。
【００２３】
また、画像読取装置で画像処理を行えるように構成したので、接続するホストコンピュータなどに転送する場合であっても転送先での新たな画像処理を必要としなくなるため作業効率が向上するという効果をも奏する。
【００２４】
さらに、プレビュー表示を無効にした場合には、連続して読み取りを行うことができ、無効にした場合であっても原稿の読み取りの途中から有効へと切り換えられるようにも構成したので、必要な原稿のプレビュー画像を確認することができ、作業効率が向上するという効果をも奏する。
【発明を実施するための最良の形態】
【００２５】
以下、本発明に係わる画像読取装置および制御方法の一実施例を添付図面を参照して詳細に説明する。
【００２６】
なお、以下に示す実施例では、画像読取装置としてスキャナを例に示すが、スキャナに限定されることなく、ファクシミリなどの装置にも適用できるものである。
【実施例】
【００２７】
図１は、本発明に係わる画像読取装置および制御方法を適用して構成した装置概観図である。
【００２８】
図１において、スキャナ１００は、原稿２００を搬送して読み取りを行うＡＤＦ（Auto Document Feeder：自動文書搬送装置）１１１、原稿２００をセットする搬入トレイ１１２、読み取った原稿２００を排出する搬出トレイ１１３、ユーザによる読み取り条件の設定やプレビュー表示を行うタッチパネル１３１、読み取り指示やデータ入力を行う操作ボタン１３２、搬入トレイ１１２にセットされた原稿２００の読み取りを開始指示する開始ボタン１３３を具備して構成される。
【００２９】
また、ＡＤＦ１１１、搬入トレイ１１２、搬出トレイ１１３を含む部分（図１のＡ部分）をまとめて持ち上げることができ、その他の部分（図１のＢ部分）との間に一枚単位で原稿の読み取りを行うプラテンも設けられている。
【００３０】
搬入トレイ１１２に読み取りを行う原稿２００がセットされ、ユーザがタッチパネル１３１を用いて読み取り条件を設定後、開始ボタン１３３を押下することによって読み取りが開始する。このとき、読み取り条件とともに原稿の画像データをプレビュー表示する設定を有効にするか無効にするか選択することができ、有効を選択した場合、単位読み取り枚数ごとに画像データのプレビュー表示を行う。
【００３１】
この単位読み取り枚数とは、１回の原稿読み取りによって読み取られる原稿の枚数を示しており、読み取った原稿の枚数分だけプレビュー画像がタッチパネル１３１に表示される。
【００３２】
単位読み取り枚数の初期設定値として、「１」が設定されており、この場合、原稿一枚ごとにプレビュー表示を行うことを示している。単位読み取り枚数の値を変更することで一度に読み取る原稿の枚数を変化することができ、一度に表示するプレビュー画像数を変更することができる。
【００３３】
原稿の読み取りに際し、タッチパネル１３１に表示されている初期画面は、図３（ａ）に示すような画面であって、スキャナ１００によって実現できる機能の一覧を示している。この図３（ａ）に示す初期画面の例では、コピー機能３０１、メール送信機能３０２、ＰＣへの保存機能３０３、メディアへの保存機能３０４を有していることが示されている。
【００３４】
なお、コピー機能３０１を実現するためには、スキャナ１００にプリンタが接続された状態にあることが必要であり、メール送信機能３０２を実現するためにはネットワークへの接続が行われた状態にあることが必要である。さらに、ＰＣへの保存機能３０３、メディアへの保存機能３０４を実現するためにはそれぞれローカルまたはネット接続されたＰＣ、メディアが接続されている必要がある。
【００３５】
それぞれの機能を実現するために必要な装置が各々接続された状態にあり、例えば、コピー機能３０１を選択した場合には、スキャナ１００で読み取った画像データをプリンタに転送して複写を行う。また、メール送信機能３０２を選択した場合には、読み取った画像データを添付ファイルとして指定されたあて先に電子メールを送信する。さらに、ＰＣへの保存機能３０３を選択した場合には、接続されたＰＣに読み取った画像データを保存し、メディアへの保存機能３０４を選択した場合には、接続されたメディアに読み取った画像データを保存する。
【００３６】
なお、ヘルプボタン３０５を押下することで各ボタンにより実現可能な機能の説明が表示される。
【００３７】
そして、初期画面からいずれかの機能を選択すると、続いて、図３（ｂ）に示すような読み取り条件を設定するような画面が表示される。この図３（ｂ）に示す画面では、一例として、図３（ａ）でメディア保存機能３０４が選択された場合に表示される画面を示し、保存先タブ３０６、基本スキャンタブ３０７、その他タブ３０８を押下することで表示される３つ画面から構成される。
【００３８】
保存先タブ３０６では、保存先として指定したメディアに保存する画像データのファイル名をファイル名変更ボタン３０９によって指定・変更することができ、また、プレビュー表示ボタン３１０によって画像データのプレビュー表示を有効にするか無効にするかを選択できる。各タブの画面に条件を設定後、開始ボタン１３３を押下するとセットされた原稿の読み取りが開始する。
【００３９】
プレビュー表示ボタン３１０が押下された（チェックされた）状態で読み取りが行われた場合には、単位読み取り枚数ごとの原稿に対するプレビュー画像データがタッチパネル１３１に表示される。このときのプレビュー表示画面の一例を図４に示す。
【００４０】
プレビュー表示されたプレビュー画像データに対して回転などの編集を行い、次の原稿を読み取るには再度、開始ボタン１３３を押下する。開始ボタン１３３を押下すると次の原稿がＡＤＦ１１１によって搬送されて読み取りが行われ、前の原稿と同様にプレビュー表示される。以降の読み取り時にプレビュー表示を行わない場合には、図４に示すようなプレビュー表示画面で「次ページプレビューチェックボックス」の項目からチェックを外して開始ボタン１３３を押下する。
【００４１】
図４に示す画面では、編集の一例として画像データを回転する処理が可能であるが、回転に限定するものではなくカラー配色の変更や白黒反転などの処理も可能である。
【００４２】
また、操作ボタン１３２には、プレビュー再開ボタン１３４が設けられており、プレビュー表示を無効にして原稿の読み取りを行っている場合であってもプレビュー再開ボタン１３４を押下することにより途中からプレビュー表示を行うことができる。
【００４３】
このような構成により、読み取った原稿を所定の単位読み取り枚数でプレビュー表示することができ、読み取った原稿それぞれに対して回転などの処理を行うことができるようになる。
【００４４】
図２は、本願発明の画像読取装置の装置構成を示すブロック図である。
【００４５】
図２において、スキャナ１００は、読み取り部１１０、制御部１２０、Ｕ／Ｉ１３０、記憶部１４０、通信インターフェース１５０を具備して構成され、読み取り部１０にセットされた原稿を連続して読み取る。
【００４６】
読み取り部１１０は、図１に示すＡＤＦ１１１、搬入トレイ１１２、搬出トレイ１１３を具備して構成され、Ｕ／Ｉ（User Interface）１３０は、図１に示すタッチパネル１３１、操作ボタン１３２、開始ボタン１３３を具備して構成される。
【００４７】
読み取り部１１０は、ＡＤＦなどの複数の原稿を連続して搬送し、読み取ることができる読取装置によって構成され、制御部１２０からの指示に基づきそのセットされた原稿の読み取りを行う。読み取った原稿に対する画像データを制御部１２０の画像処理部１２２に転送することによって処理する。
【００４８】
制御部１２０は、スキャナ１００における主制御を示し、原稿に対する画像データの作成における画像処理を行う。Ｕ／Ｉ１３０から原稿の読み取り指示を受け付けると、一回の読み取りで読み取る原稿の枚数を示した単位読み取り枚数を記憶部１４０から取得し、その単位読み取り枚数の情報とともに読み取り部１１０に対して読み取り指示を行う。このときの単位読み取り枚数は、Ｕ／Ｉ１３０にプレビュー表示する画像データの数を示しており、一回の読み取りで一枚の画像データを表示する場合には、「１」が設定されている。
【００４９】
そして、読み取った原稿に対する画像データを読み取り指示で指定された保存先に保存する。例えば、保存先としてスキャナ内に保存すると指定されている場合には、記憶部１４０に保存する。また、通信インターフェース１５０を介して接続された記憶装置、例えば、ＵＳＢ（Universal Serial Bus）フラッシュメモリやＰＣ（パソコン）などに保存することもできる。
【００５０】
この制御部１２０は、設定内容判断部１２１、画像処理部１２２、画像データ作成部１２３を具備して構成され、制御部１２０から読み取り部１１０に対して読み取り指示を行うことで読み取った原稿に対するデータを画像処理部１２２が受け付ける。
【００５１】
設定内容判断部１２１は、Ｕ／Ｉ１３０をユーザが操作することによって設定された設定情報を受け付けてその設定情報の内容を解析する。このとき、設定情報に含まれるプレビュー表示の有効、無効の設定状態を判断するほか、カラーまたは白黒の配色条件、読み取り原稿サイズ、読み取り向き、濃度などの各種の設定内容を解析して判断する。解析された設定情報は、画像処理を行う画像処理部１２２に転送され、読み取り部１１０で読み取った原稿に対する画像データの画像処理に用いられる。
【００５２】
また、設定情報にプレビュー表示を有効とすると設定された場合であって、Ｕ／Ｉ１３０から画像データの回転指示や配色条件の変更などの指示が行われると、その指示内容を判断して画像処理部１２２に転送する。
【００５３】
画像処理部１２２は、読み取り部１１０に対して原稿の読み取りを指示するとともに読み取り部１１０で読み取った原稿に対する画像データの処理を行う。その画像データは一時的にバッファ１２４に格納され、その後、Ｕ／Ｉ１３０を用いて設定されたプレビュー表示の有効／無効の設定に基づいて画像データ作成部１２３に画像データの作成指示を行う。
【００５４】
プレビュー表示が有効に設定されている場合、実画像データの作成指示とともにプレビュー画像データの作成指示を画像データ作成部１２３に対して行い、画像データ作成部１２３がプレビュー画像データ作成部１２５に対してプレビュー画像データの作成指示を行う。これにより、バッファ１２４に記憶された画像データを取得し、画像データ作成部１２３で実画像データを作成する。また、プレビュー画像データ作成部１２５でプレビュー画像データを作成する。
【００５５】
もちろん、画像データ作成部１２３を介さずに直接、プレビュー画像データ作成部１２５に作成指示を行うように構成してもよい。この場合、画像データ作成部１２３とプレビュー画像データ作成部１２５が並行して処理が行われる。
【００５６】
それに対して、プレビュー表示が無効に設定されている場合、プレビュー画像データ作成部１２５によるプレビュー画像データの作成を行わず、画像データ作成部１２３による実画像データの作成のみを行う。
【００５７】
プレビュー表示を有効とした場合に作成された実画像データとプレビュー画像データは、バッファ１２４に記憶される。
【００５８】
そして、ユーザによってプレビュー表示されたプレビュー画像データに対して確定処理、例えば、次の原稿の読み取りを開始する指示を行うなどの処理が行われると、バッファ１２４に記憶された実画像データを指定された保存先に保存する。例えば、保存先としてＵＳＢフラッシュメモリが指定された場合には、通信インターフェース１５０を介して接続されたＵＳＢフラッシュメモリに保存する。
【００５９】
このとき、読み取り部１１０によって原稿の読み取りを行った画像データの形式がＴＩＦＦ（Tagged Image File Format）形式やＰＤＦ（Portable Document Format）形式の場合には、Ｕ／Ｉ１３０を用いたユーザからの回転指示などが行われた場合であっても画像データを回転させるのではなく、ヘッダー部の向きの指定を変更するような構成であってもよい。
【００６０】
画像データ作成部１２３は、画像処理部１２２によって処理された画像データを成形することで原稿に対する実画像データを作成する。実画像データは、原稿を読み取ったディジタルデータである画像データであって作成された実画像データを再度、画像処理部１２２に転送し、画像処理部１２２によって記憶部１４０に記憶される。
【００６１】
また、この画像データ作成部１２３は、プレビュー画像データ作成部１２５を具備して構成し、画像処理部１２２からの作成指示によってプレビュー表示する画像データ（「プレビュー画像データ」という）を作成する。プレビュー画像データは、画像データ作成部１２３による実画像データとともに作成され、バッファ１２４に記憶してＵ／Ｉ１３０に表示させる。
【００６２】
画像処理部１２２からのプレビュー画像データの作成指示は、Ｕ／Ｉ１３０で指定された回転指示などを設定内容判断部１２１で解析して判断し、その判断結果によってプレビュー表示を行うと指定された場合に画像処理部１２２が画像データ作成部１２３にプレビュー表示を指示することで行われる。
【００６３】
このプレビュー画像データ作成部１２５では、プレビュー表示されたプレビュー画像データをユーザが参照して回転などの編集指示を行うことでその編集指示に基づくプレビュー画像データを作成する。そして、作成された画像への変更を行うことなく、上記するような確定処理が行われるとそのプレビュー画像データに対する実画像データを画像データ作成部１２３で作成して指定された保存先へ保存する。
【００６４】
なお、画像データ作成部１２３では、プレビュー画像データ作成部１２５で作成したプレビュー画像データに対して編集指示が行われてその編集指示を反映した新たなプレビュー画像データが作成される度に、その編集指示に基づく実画像データを作成するように構成してもよい。
【００６５】
さらに、プレビュー画像データ作成部１２５で予め指定された回転角度に回転したプレビュー画像データを作成しておくような構成であってもよい。例えば、予め指定された回転角度が９０度である場合には、元の画像データに加えて右９０度（左２７０度）、右１８０度（左１８０度）、右２７０度（左９０度）に回転させた４つの画像データを作成しておく。この場合、編集指示された指示内容に合致する画像データ以外は使用しない。
【００６６】
Ｕ／Ｉ１３０は、ユーザによる操作を受け付けるユーザインターフェースであって、表示ディスプレイなどによって構成される表示部、キーボードやポインティングデバイスなどによって構成される操作部を具備して構成される。これら表示部、操作部を一体としたタッチパネル１３１によってＵ／Ｉ１３０を構成した例を図３、図４に示している。
【００６７】
Ｕ／Ｉ１３０では、読み取り部１１０にセットされた原稿の読み取りの開始指示を行うとともに、その読み取りに係る読み取り条件、保存先を設定する。この読み取り条件では、プレビュー表示の有効／無効、カラーまたは白黒の配色条件、読み取り原稿サイズ、読み取り向き、濃度などの情報を設定可能である。また、保存先としてスキャナ以外にも通信インターフェース１５０を介して接続されたＵＳＢフラッシュメモリなどの記憶媒体やＰＣなどを指定することができる。
【００６８】
これらの条件を設定後、開始ボタン１３３を押下するなどによって原稿の読み取り開始指示を行うと、読み取り指示が行われたことをＵ／Ｉ１３０から制御部１２０に転送され、その読み取り条件を制御部１２０内の設定内容判断部１２１に送信する。
【００６９】
読み取り条件としてプレビュー表示を有効に設定後、読み取り部１１０によって原稿の読み取りが行われてＵ／Ｉ１３０にプレビュー画像データが表示されると、そのプレビュー画像データに対する回転指示や配色変更指示などを行うことができる。これらの指示が行うと、設定内容判断部１２１に転送され、プレビュー画像データ作成部１２５によって再作成されたプレビュー画像データの再表示を行う。所望の画像データが作成されると、ユーザが開始ボタン１３３を押下して次の原稿の読み取り指示を行う。
【００７０】
記憶部１４０は、ＲＯＭ（Read Only Memory）やＲＡＭ（Random Access Memory）などから構成され、スキャナ１００で原稿の読み取りを行うための制御プログラムや各種パラメータ、プレビュー表示を行うための制御プログラムを記憶する。これらの制御プログラムやパラメータは、制御部１２０から読み出されて実行される。
【００７１】
また、単位読み取り枚数の情報を記憶する。この単位読み取り枚数は、ＡＤＦに複数の原稿がセットされた状態において、１回の原稿読み取りで読み取られる原稿の枚数を示す情報であり、読み取った原稿の枚数分だけのプレビュー画像がタッチパネル１３１に表示される。
【００７２】
例えば、一回の読み取りで読み取る原稿の枚数が一枚である場合には、単位読み取り枚数の情報として「１」が設定される。また、単位読み取り枚数として「２」が設定されている場合には、２枚の原稿が読み取られたのちに、読み取った２枚の原稿それぞれに対するプレビュー画像がタッチパネル上に並行して表示される。
【００７３】
この場合、タッチパネルを用いてユーザが操作対象のプレビュー画像を選択し、その選択されたプレビュー画像に対して回転指示や配色変更指示などの編集操作が行われることになる。
【００７４】
なお、この単位読み取り枚数は、制御部１２０によって書き換え可能である。
【００７５】
通信インターフェース１５０は、外部機器との接続を行うインターフェースであって、ＵＳＢインターフェースやネットワークインターフェースなどの通信インターフェースによって構成される。例えば、ＵＳＢケーブルを用いてＰＣとの接続のほか、ＬＡＮ（Local Area Network）ケーブルを用いてネットワーク接続を可能とする。ネットワーク接続によってスキャナ１００がネットワーク上のノードとして動作することにより電子メール機能やＳＮＭＰ（Simple Network Management Protocol）機能などが実現可能となる。
【００７６】
さらに、ＵＳＢフラッシュメモリが挿入されている状態にある場合には、Ｕ／Ｉ１３０から画像データの保存先としてＵＳＢフラッシュメモリを選択して保存することができる。このときの記憶装置として、ＵＳＢフラッシュメモリに限られることなく、各種メディアを用いることができる。
【００７７】
このような構成により、原稿を読み取った実画像データのほかプレビュー表示を行うプレビュー画像データを同時に作成することができる。また、ユーザの指示によりプレビュー表示を有効にしたり無効にしたりできるほか、無効としたプレビュー表示を途中から有効へと変更することができる。
【００７８】
図４は、プレビュー表示を行った状態のタッチパネルの例を示す図である。
【００７９】
図４において、図４（ａ）は、セットされた原稿を読み取ることによってプレビュー表示させた状態を示す図であって、図４（ｂ）は、図４（ａ）に示された状態から画像データを左方向に９０度回転させて再プレビュー表示させた図である。
【００８０】
図４（ａ）、図４（ｂ）は、それぞれプレビュー表示画面４０１、右９０度回転ボタン４０２、左９０度回転ボタン４０３、次ページプレビューチェックボックス４０４、ページ数４０５、中止ボタン４０６、原稿状態表示項目４０７から構成される。
【００８１】
プレビュー表示画面４０１に表示された画像データを右９０度回転させる場合には右９０度回転ボタン４０２を押下し、左９０度回転させる場合には左９０度回転ボタン４０３を押下する。これらのボタンを押下することによってそのボタンの内容に従ってプレビュー表示される画像データが変化する。次ページプレビューチェックボックス４０４にチェックを外すと、次の原稿の読み取り時にはプレビュー表示を行うことなく連続して読み取りが行われる。チェックを入れた状態であれば、次の原稿の読み取り時にもプレビュー表示が行われる。
【００８２】
なお、途中からプレビュー表示を無効にすることで読み取りを継続させた場合に、一度、プレビュー表示を有効とした状態で設定した編集、例えば、右９０度回転ボタン４０２を押下することにより画像データを右９０度へ回転する編集、を以降の画像データ全てに行うようにしてもよい。
【００８３】
ページ数４０５は、セットされた原稿の読み取り枚数を示している。中止ボタン４０６は、読み取りを中止するボタンであって、中止ボタン４０６が押下された時点の画像データを破棄する。
【００８４】
原稿状態表示項目４０７は、ユーザが続けて原稿を追加させるか否かの状態を表示する項目であり、次原稿ありにセットしておけば、原稿を追加することにより続けて読み取ることができる。
【００８５】
このような画面によって、プレビュー表示を行うことができ、プレビュー表示された画像データに回転などの編集を行うことができる。
【００８６】
図５は、本願発明における処理の流れを示すフローチャートである。
【００８７】
図５において、スキャナの電源を投入後、ユーザが読み取りを行う原稿をセットすると処理が開始され、ユーザによる読み取り条件の設定を行う（５０１）。読み取り条件の設定では、プレビュー表示の有効／無効を設定することができるほか、読み取り解像度や配色条件などを設定することができる。
【００８８】
このユーザによる読み取り条件の設定後、開始ボタンがユーザにより押下されると（５０２）、ユーザにより設定された読み取り条件のうちプレビュー表示が有効となっているか判断する（５０３）。プレビュー表示する必要がなければ、連続して通常の原稿読み取りを行うことができるが、プレビュー表示する必要があれば、そのプレビュー表示にかかる処理を行う。
【００８９】
プレビュー表示が有効となっている場合（５０３でＹＥＳ）には、まず、１回の原稿読み取りによって読み取られる原稿の枚数を示した単位読み取り枚数の情報を取り出してその単位読み取り枚数分だけＡＤＦにセットされた原稿を読み取る（５０４）。初期状態では、単位読み取り枚数の情報として「１」と設定されているので、原稿を一枚だけ読み取る。その単位読み取り枚数が「２」と設定されている場合には原稿を２枚連続して読み取る。
【００９０】
続いて、読み取った原稿に対する実画像データを作成し（５０５）、プレビュー表示を行うことからプレビュー画像データをも作成する（５０６）。このプレビュー画像データの作成処理では、実画像データの作成処理と並行して行われる。
【００９１】
単位読み取り枚数が「２」と設定されている場合にはそれぞれの実画像データ（５０５）とプレビュー画像データを作成する（５０６）。
【００９２】
そして、作成したプレビュー画像データをタッチパネルにプレビュー表示する（５０７）。ここで、続けて開始ボタンが押下されると、プレビュー表示されたプレビュー画像データを変更せずに保存することを示すが、開始ボタンが押下される前に回転などの指示が行われると、そのプレビュー画像データの作成元となった実画像データに対して変更が必要であることを示すため、開始ボタンが押下されたか判断する（５０８）。
【００９３】
開始ボタンが押下されると（５０８でＹＥＳ）、プレビュー表示されている状態のプレビュー画像データに対する実画像データを指定された保存先に保存する（５１０）。
【００９４】
また、開始ボタンが押下される前にプレビュー表示されたプレビュー画像データの回転指示（編集指示）が行われる（５０８でＮＯ）と、指示内容に基づいて画像データを回転させる処理を行う（５０９）。その後、開始ボタンが押下されるとその回転した状態のプレビュー画像データに対する実画像データを指定された保存先に保存する（５１０）。
【００９５】
それに対して、プレビュー表示が無効となっている場合（５０３でＮＯ）には、セットされた原稿を順次、読み取る（５１１）。読み取った原稿に対する画像データを作成し（５１２）、プレビュー表示する必要がないので順次記憶していく（５１０）。この処理を原稿の枚数分だけ繰り返す。
【００９６】
プレビュー表示が有効、無効いずれの場合であっても実画像データを保存すると、続いて、次の原稿の読み取りを行うために次原稿がセットされているか判断する（５１３）。セットされている場合（５１３でＹＥＳ）には、再度、プレビュー表示が有効に設定されているかの判断を行って以降、以上に示すような処理を繰り返し行う。
【００９７】
図６は、図５に示すフローチャートと類似する処理の流れを示したフローチャートである。
【００９８】
図６は、図５と類似するため異なる点を中心に説明する。
【００９９】
図６では、プレビュー表示が無効に設定されている場合の処理が図５に示すフローチャートとは異なり、プレビュー表示が無効と判断された場合（５０３でＮＯ）に、連続して原稿の読み取りが行われている状態でユーザによりプレビュー再開ボタンが押下された場合（６０１）の処理を示している。
【０１００】
原稿の読み取り中にプレビュー再開ボタンが押下される（６０１でＹＥＳ）と、読み取り中の原稿をプレビュー表示するためにプレビュー表示が有効と設定されている場合（５０３でＹＥＳ）と同様に実画像データの作成処理が行われる（５０５）。読み取り中の原稿をプレビュー表示するには、図２に示す画像データ作成部１２３で作成された実画像データを画像データ作成部１２５で低解像度化することによって作成する。なお、読み取り中の原稿の次の原稿から読み取ることもでき、この場合、実画像データの作成と並行してプレビュー画像データの作成が行われる（５０６）。
【０１０１】
プレビュー再開ボタンが押下されない場合（６０１でＮＯ）には、図５に示す処理と同様の処理が行われる。
【０１０２】
このような処理の流れによって、プレビュー表示を無効と設定して原稿の読み取りを行った場合であってもプレビュー表示を再開することができる。
【０１０３】
図５、図６に示すフローチャートにより、プレビュー表示が有効に設定されている場合には、単位読み取り枚数ごとにプレビュー表示することができ、無効と設定されている場合であっても途中からプレビュー表示を行うことができる。
【０１０４】
以上の処理によって、本発明のスキャナ１００では、連続して複数枚の原稿の読み取りが行えるとともに読み取った原稿の画像データのプレビュー表示を行うことができる。このプレビュー表示に際して、実画像データとともにプレビュー表示用のプレビュー表示画像データを作成することができる。
【０１０５】
また、ユーザによりプレビュー表示を行うか否かを選択することができるとともに選択したプレビュー表示の有効無効の設定内容を変更することができる。
【０１０６】
これによって、ユーザが確認したい原稿をプレビュー表示することができ、また、その原稿が束ねられたいずれの位置にあってもプレビュー表示して内容を確認することができる。
【０１０７】
従って、本発明を適用することにより、ユーザが所望する画像データを簡単な操作で作成することができ、効率的で最適な画像データを作成することが可能となるという効果を期待できる。
【０１０８】
本発明は、上記し、且つ図面に示す実施例に限定することなく、その要旨を変更しない範囲内で適宜変形して実施できるものである。
【産業上の利用可能性】
【０１０９】
本発明は、ＡＤＦが搭載された画像読取装置に適用可能であり、特に、複数枚の原稿をユーザが所望する画像データを作成するのに有用である。
【図面の簡単な説明】
【０１１０】
【図１】本発明に係わる画像読取装置および制御方法を適用して構成した装置概観図。
【図２】本願発明の画像読取装置の装置構成を示すブロック図。
【図３】スキャナのタッチパネルに表示される初期画面と設定画面を示す図。
【図４】プレビュー表示を行った状態のタッチパネルの例を示す図。
【図５】本願発明における処理の流れを示すフローチャート。
【図６】図５に示すフローチャートと類似する処理の流れを示したフローチャート。
【符号の説明】
【０１１１】
１００      スキャナ（画像読取装置）
１１０      読み取り部
１１１      ＡＤＦ（自動原稿搬送装置）
１１２      搬入トレイ
１１３      搬出トレイ
１２０      制御部
１２１      設定内容判断部
１２２      画像処理部
１２３      画像データ作成部
１２４      バッファ
１２５      プレビュー画像作成部
１３０      Ｕ／Ｉ
１３１      タッチパネル
１３２      操作ボタン
１３３      開始ボタン
１３４      プレビュー再開ボタン
１４０      記憶部
１５０      通信インターフェース
２００      原稿
【図１】
0004687425.tif 000002
【図２】
0004687425.tif 000003
【図３】
0004687425.tif 000004
【図４】
0004687425.tif 000005
【図５】
0004687425.tif 000006
【図６】
0004687425.tif 000007